(57)【要約】【課題】画像形成装置やトナー収容体の製造コストを抑えつつ、正確にトナー残量を検知できるようにするとともに、純正品の使用を促す。【解決手段】画像形成装置は、トナーを用いる印刷部と、基板部を含みトナーを印刷部に補給するトナー収容体と、端子部と、トナー収容体が純正品か否かを判定するとともに、トナー収容体の残量を検知する判定部を含む。基板部は端子部と接する通信端子部、残量検知部、及び、メモリーを含む１枚の基板である。残量検知部はトナー残量に応じた電圧を出力する検知回路を含む。メモリーはトナー収容体がエンプティ状態のときの検知回路の出力値を示すエンプティ出力値を記憶する。通信端子部は検知回路の出力値を判定部に入力する。判定部は検知回路の出力値の大きさを認識し、エンプティ出力値と、検知回路の出力値を比較してトナー収容体がエンプティ状態であるか否かを判定する。【選択図】図７
2016090736.tif 000002
【特許請求の範囲】
【請求項１】
トナーを用いて印刷を行う印刷部と、
画像形成装置に対し着脱可能であり、基板部が取り付けられ、トナーを前記印刷部に補給するトナー収容体と、
前記基板部と通信を行うための端子部と、
前記端子部により前記トナー収容体から受信した情報に基づき、前記トナー収容体が純正品か否かを判定するとともに、前記トナー収容体のトナー残量を検知する判定部と、
装置の状態を報知する報知部と、を含み、
前記基板部は、前記端子部と接する通信端子部、残量検知部、及び、メモリーとを含む１枚の基板であり、
前記残量検知部は、差動トランスと前記差動トランスの出力を処理して残量に応じた電圧を出力する検知回路を含み、
前記メモリーは、前記トナー収容体が純正品か否かを判定するためのセキュリティ情報ともに前記トナー収容体がエンプティ状態のときの前記検知回路の出力値を示すエンプティ出力値を記憶し、
前記通信端子部は、前記メモリーの記憶内容を前記判定部に送信するとともに前記検知回路の出力値を前記判定部に入力し、
前記判定部は、前記検知回路の出力値の大きさを認識し、前記メモリーに記憶された前記エンプティ出力値と、前記検知回路の出力値を比較して前記トナー収容体がエンプティ状態であるか否かを判定し、
前記報知部は、前記判定部が前記エンプティ状態であると判定すると、前記トナー収容体が空となった旨を報知することを特徴とする画像形成装置。
【請求項２】
前記メモリーは、前記トナー収容体のトナーの残量に関する残量値を記憶し、
新たな前記トナー収容体が取り付けられたとき、
前記判定部は、前記検知回路の出力値と前記残量値との差が許容範囲に収まるか否かを確認し、前記許容範囲内であるとき前記トナー収容体が純正品であると判定し、前記許容範囲に収まらないとき前記トナー収容体が純正品でないと判定することを特徴とする請求項１記載の画像形成装置。
【請求項３】
前記残量値の初期値は、前記トナー収容体のトナーが満杯であるときの前記検知回路の出力値であり、
前記判定部は、トナーの消費にあわせ、純正品と判定した前記トナー収容体のメモリーに記憶された前記残量値を更新させることを特徴とする請求項２に記載の画像形成装置。
【請求項４】
前記メモリーは、前記検知回路の出力値が前記エンプティ出力値となってから許容する印刷の枚数である許容枚数を記憶し、
前記判定部は、前記検知回路の出力値が前記エンプティ出力値となってから前記許容枚数分の印刷が前記印刷部によりなされた時点で、前記トナー収容体がエンプティ状態になったと判定することを特徴とする請求項１乃至３の何れか１項に記載の画像形成装置。
【請求項５】
前記メモリーが前記エンプティ出力値を記憶していないとき、
前記判定部は、前記トナー収容体が純正品ではないと判定することを特徴とする請求項１乃至４の何れか１項に記載の画像形成装置。
【請求項６】
前記判定部は、前記トナー収容体が純正品ではないと判定したとき、前記報知部に取り付けられている前記トナー収容体が純正品ではない旨を前記報知部に報知させることを特徴とする請求項１乃至５記載の画像形成装置。
【請求項７】
前記端子部に設けられた端子と、前記通信端子部の端子の何れか一方が板ばねであることを特徴とする請求項１乃至６の何れか１項に記載の画像形成装置。
【請求項８】
前記基板部には、回路パターンとして前記差動トランスが設けられており、
前記基板部の取り付け位置、又は、前記基板部内での前記差動トランスの形成位置は、複数パターン用意されていることを特徴とする請求項１乃至７の何れか１項に記載の画像形成装置。
【請求項９】
前記基板部と通信できず、前記基板部の存在が認められないとき、
前記制御部は、前記トナー収容体無し、又は、エンプティ状態と判定することを特徴とする請求項１乃至８の何れか１項に記載の画像形成装置。
【請求項１０】
請求項１乃至９の何れか１項の画像形成装置に用いられ、
メモリーと残っているトナーの残量を検知するための残量検知部と通信端子部を含み、１枚の基板である基板部を含み、
前記メモリーは、純正品か否かを判定するためのセキュリティ情報を記憶し、
前記残量検知部は、差動トランスと前記差動トランスの出力を処理する検知回路を含み、
前記通信端子部は、前記メモリーの記憶内容を送信するとともに前記検知回路の出力値を伝達するためのものであり、
前記メモリーは、前記セキュリティ情報とともに前記トナー収容体がエンプティ状態のときの前記検知回路の出力値を示すエンプティ出力値を記憶することを特徴とするトナー収容体。
【発明の詳細な説明】
【技術分野】
【０００１】
本発明は、トナーを収容するトナー収容体、及び、トナー収容体を備えた画像形成装置に関する。
【背景技術】
【０００２】
複合機やプリンターのような画像形成装置には、トナーを用いて画像形成を行い、印刷を行うものがある。画像形成装置には、トナーを収容するトナー収容体（「トナーコンテナ」、「トナーカートリッジ」と称されることもある）が取り付けられる。このトナー収容体は、メーカー以外の第三者に模造されることがある。非純正品に粗悪なトナーが用いられている場合もあり、画像形成装置の故障を防ぐためにも、純正品のトナー収容体の使用が推奨される。しかし、非純正品のトナー収容体が市場に流れ、使用されることがある。そこで、容易な複製を防ぎつつ、トナー収容体が純正品であるか否かを判定する画像形成装置が記載されている。
【０００３】
具体的に、特許文献１には、トナーを収容するトナー収容部と、前記トナー収容部から供給されたトナーを利用して画像を形成するエンジン部と、少なくとも一部が磁性体によって形成された攪拌部材であって、前記トナー収容部内を回転して移動することによりトナーを攪拌する複数の前記攪拌部材と、前記トナー収容部の外部に配置され、少なくとも一部が磁性体によって形成された前記攪拌部材それぞれの透磁率を検知する検知部と、前記検知部によって検知された透磁率に基づいて、前記トナー収容部が純正品であるか否かを判定する判定部と、を備える画像形成装置が記載されている（特許文献１：請求項１、図３参照）。
【先行技術文献】
【特許文献】
【０００４】
【特許文献１】特開２０１３−００３３７５号公報
【発明の概要】
【発明が解決しようとする課題】
【０００５】
画像形成装置には、トナー収容体が純正品か否かを判定するための情報（セキュリティ情報）を記憶したチップ（例えば、ＩＣタグ）が設けられることがある。画像形成装置はチップに記憶された情報を読み出し、情報が取得できたか否かの確認や、取得できた情報に異常が無く適切であるか否かを確認し、トナー収容体が純正品か否かを判定する。
【０００６】
また、画像形成装置には、トナー収容体に残るトナーの量を検知するためのセンサーが設けられることがある。そして、画像形成装置は、センサーの出力値に基づき、トナー収容体のトナーの残量や、トナー収容体のエンプティ（残量ゼロ）を検知する。
【０００７】
従来、これらのチップやセンサーは、別々の基板として設けられている。更に、センサーが設けられた基板との通信用と、チップが設けられた基板との通信用の回路や配線が必要となる。このように、チップやセンサーを別々の基板に設けているので、画像形成装置やトナー収容体の製造コストを減らし難いという問題がある。
【０００８】
また、トナー収容体に収容される磁性体トナー（一成分方式のトナー）の残量を検知するとき、残量による透磁率変化に着目し（磁性体トナーが少なくなるほどトナー収容体周辺の透磁率が小さくなる）、透磁率に応じて出力が変化する素子（例えば、差動トランス）を含み、透磁率に応じて出力が変化する回路をセンサーとして用いることがある。しかし、透磁率により出力が変化する素子や回路の位置がずれると、トナー収容体内のトナー残量が同じでも、回路からの出力値に差が生ずるという問題がある。例えば、エンプティ状態での回路の出力値は、回路の位置に応じてばらつきが出る。このように、透磁率により出力が変化する素子、回路は、取り付け位置の影響を受ける。従って、トナーの残量やエンプティを正確に検知することが難しい場合があるという問題がある。
【０００９】
更に、このような回路の特性を利用し、取り付けられたトナー収容体が純正品か否かをより正確に判定する試みは従来なされていない。
【００１０】
尚、特許文献１に記載の技術は、トナーを攪拌する複数の前記攪拌部材によって、トナー収容体が純正品か否かを判定することができる。しかし、センサーとチップを別々に設けることによる製造コストの問題や、取り付け位置により、透磁率に応じて出力が変化する素子、回路の出力が変化し、正確にトナー残量を検知することが難しい点については、記載が無い。従って、特許文献１記載の技術では、上記の問題に対応できない。
【００１１】
本発明は、上記従来技術の問題点に鑑みてなされたものであり、画像形成装置やトナー収容体の製造コストを抑えつつ、正確にトナー残量やエンプティ状態を検知できるようにするとともに、純正品の使用を促す。
【課題を解決するための手段】
【００１２】
上記課題を解決するため、請求項１に係る画像形成装置は、トナーを用いて印刷を行う印刷部と、画像形成装置に対し着脱可能であり、基板部が取り付けられ、トナーを前記印刷部に補給するトナー収容体と、前記基板部と通信を行うための端子部と、前記端子部により前記トナー収容体から受信した情報に基づき、前記トナー収容体が純正品か否かを判定するとともに、前記トナー収容体のトナー残量を検知する判定部と、装置の状態を報知する報知部と、を含み、前記基板部は、前記端子部と接する通信端子部、残量検知部、及び、メモリーと、を含む１枚の基板であり、前記残量検知部は、差動トランスと前記差動トランスの出力を処理して残量に応じた電圧を出力する検知回路を含み、前記メモリーは、前記トナー収容体が純正品か否かを判定するためのセキュリティ情報ともに前記トナー収容体がエンプティ状態のときの前記検知回路の出力値を示すエンプティ出力値を記憶し、前記通信端子部は、前記メモリーの記憶内容を前記判定部に送信するとともに前記検知回路の出力値を前記判定部に入力し、前記判定部は、前記検知回路の出力値の大きさを認識し、前記メモリーに記憶された前記エンプティ出力値と、前記検知回路の出力値を比較して前記トナー収容体がエンプティ状態であるか否かを判定し、前記報知部は、前記判定部が前記エンプティ状態であると判定すると、前記トナー収容体が空となった旨を報知することとした。
【発明の効果】
【００１３】
本発明によれば、基板部は１枚であるので、画像形成装置やトナー収容体の製造コストを抑えることができる。また、エンプティ出力値を記憶するので、基板部や差動トランスの位置にずれがあっても、正確にトナー残量やエンプティ状態を検知することができる。
【図面の簡単な説明】
【００１４】
【図１】実施形態に係るプリンターの構造を示す図である。
【図２】実施形態に係るプリンターのハードウェア構成を示す図である。
【図３】実施形態に係るプリンターでのトナー補給に関係する部分のハードウェア構成を示す図である。
【図４】トナーコンテナに設けられる基板部の一例を示す模式図である。
【図５】本体側と基板部との通信のための構成の一例を示す図である。
【図６】実施形態に係る通信用端子の一例を示す図である。
【図７】トナー残量の検知の流れの一例を示すフローチャートである。
【図８】トナーコンテナが非純正品と判定した旨を報知する報知画面の一例を示す図である。
【図９】トナーコンテナに記憶されたセキュリティ情報に基づく判定の一例を示すフローチャートである。
【図１０】新たなトナーコンテナが取り付けられたときの判定の流れの一例を示すフローチャートである。
【発明を実施するための形態】
【００１５】
以下、本発明の実施形態を図１〜図１０を用いて説明する。以下の説明では、磁性体トナーを収容するトナーコンテナ１（トナー収容体に相当）を含み、トナーコンテナ１から補給された磁性体トナーを用いて印刷するプリンター１００（画像形成装置に相当）を例に挙げて説明する。但し、各実施の形態に記載されている構成、配置等の各要素は、発明の範囲を限定するものではなく単なる説明例にすぎない。
【００１６】
（プリンター１００の概要）
まず、図１を用いて、実施形態に係るプリンター１００の概要を説明する。図１は、プリンター１００の構造を示す図である。
【００１７】
図１に示すように、本実施形態のプリンター１００は、上部右側に取り付けられた操作パネル２を有する。そして、プリンター１００は、内部に、印刷部３を有する。印刷部３は、給紙部３ａ、第１搬送部３ｂ、画像形成部３ｃ、定着部３ｄ、第２搬送部３ｅなどを含む。
【００１８】
まず、操作パネル２は、プリンター１００の状態を報知する表示部２０（報知部に相当）を含む。例えば、表示部２０は、トナーコンテナ１のトナー残量や、トナーコンテナ１のエンプティや、トナーコンテナ１が非純正品である旨を表示（報知）する。また、操作パネル２は、プリンター１００に関する各種設定操作を受け付ける。
【００１９】
印刷部３の給紙部３ａは、複数枚の用紙を収容し、印刷のとき、用紙を送り出す。第１搬送部３ｂは、給紙部３ａから供給された用紙を画像形成部３ｃまで搬送する。画像形成部３ｃは、印刷する画像データに基づき、露光装置３１により感光体ドラム３２の周面に形成された静電潜像をトナーにより現像する現像装置４を含む。そして、画像形成部３ｃは、用紙にトナー像を転写する。現像装置４は、印刷を行うと、トナーコンテナ１からトナーの補給を受ける。定着部３ｄは、トナー像が転写された用紙を加熱・加圧し、用紙にトナー像を定着させる。第２搬送部３ｅは定着部３ｄを通過した用紙を機外に排出する。
【００２０】
（プリンター１００のハードウェア構成）
次に、図２に基づき、実施形態に係るプリンター１００のハードウェア構成を説明する。図２は、プリンター１００のハードウェア構成を示す図である。
【００２１】
図２に示すように、本実施形態に係るプリンター１００は、制御部５（判定部に相当）を含む。制御部５は、プリンター１００の各部を制御し、また、プリンター１００内の各種基板と通信し、センサーの出力を受けて各種検知を行う。制御部５は、ＣＰＵ５１や、印刷に用いる画像データに対して画像処理を行う画像処理部５２や、その他の電子回路や素子を含む。ＣＰＵ５１は、記憶部５３に記憶される制御プログラムや制御用データに基づきプリンター１００の各部の制御や演算を行う。記憶部５３は、ＲＯＭ、フラッシュＲＯＭ、ＨＤＤのような不揮発性と記憶装置と、ＲＡＭのような揮発性の記憶装置の組み合わせである。
【００２２】
そして、制御部５は、印刷部３（給紙部３ａ、第１搬送部３ｂ、画像形成部３ｃ、定着部３ｄ、第２搬送部３ｅなど）の動作を制御する。そして、制御部５は、コンピューター２００から受信した印刷用データに基づき印刷部３に印刷を行わせる。
【００２３】
又、制御部５には、通信部５４が接続される。制御部５は、通信部５４の動作、通信処理を制御する。通信部５４は、パーソナルコンピューターやサーバーのようなコンピューター２００と通信を行うためのインターフェイスである。制御部５は、コンピューター２００から送信され、通信部５４で受信した印刷用データ（画像データや印刷設定に関するデータ）に基づき、印刷部に印刷を行わせる。又、制御部５は、操作パネル２の表示等の動作を制御する。制御部５は、操作パネル２でなされた操作、設定内容を認識し、設定内容や印刷の実行指示を認識する。
【００２４】
（現像装置４へのトナー補給の概要）
次に、図１、図３を用いて、本実施形態に係る現像装置４へのトナー補給の概要を説明する。図３は、プリンター１００でのトナー補給に関係する部分のハードウェア構成を示す図である。
【００２５】
印刷により、トナーが消費される。そこで、図１、図３に示すように、プリンター１００には、現像装置４にトナーを補給するために、トナーコンテナ１が設けられる。トナーコンテナ１は磁性体トナー（一成分方式のトナー）を収容する。プリンター１００の正面に、前カバー１０１が設けられる（図１に前カバー１０１を破線で図示）。尚、前カバー１０１の開閉を検知するための開閉検知センサーＳ１が設けられる。開閉検知センサーＳ１の出力は、制御部５に入力される。制御部５は、開閉検知センサーＳ１の出力に基づき、前カバー１０１が開状態であるか、閉状態であるかを認識する。
【００２６】
そして、前カバー１０１を開けて前方に向かって開放することにより現れる開口を通して、使用者は、トナーコンテナ１の着脱を行うことができる。使用者は、トナーコンテナ１が空になれば（エンプティ状態となれば）、新たなトナーコンテナ１への交換を行う。尚、本実施形態のプリンター１００では、トナーコンテナ１の着脱を検知するための着脱検知センサーＳ２が設けられる。着脱検知センサーＳ２の出力は制御部５に入力される。制御部５は、着脱検知センサーＳ２の出力に基づき、トナーコンテナ１が取り外されている状態であるか、トナーコンテナ１が取り付けられている状態であるかを認識する。
【００２７】
（トナー補給の流れ）
次に、図１、図３を用いて、本実施形態でのトナー補給に関係する部材と、トナー補給の基本的な流れを説明する。
【００２８】
まず、トナーコンテナ１から現像装置４にトナーを投入するため、図３に示すように投入部４１が設けられる。投入部４１は、トナーコンテナ１からのトナーを、現像装置４方向に送り出す（投入する）コンテナスクリュー４２や、コンテナスクリュー４２を回転させるコンテナモーター４３や、コンテナスクリュー４２と現像装置４のトナー投入口を接続し、トナーが通る投入管４４を含む（図１参照）。
【００２９】
コンテナスクリュー４２は、トナーコンテナ１の下方に設けられる。コンテナスクリュー４２は、トナーコンテナ１内のトナーが送り出される送出開口部に面して設けられる。コンテナスクリュー４２の回転により、投入管４４を介して現像装置４にトナーが投入される。
【００３０】
制御部５は、現像装置４にトナーを補給するとき、コンテナモーター４３を回転させてトナーコンテナ１からトナーを送り出す。尚、トナーコンテナ１内には、コンテナスクリュー４２とは別に、回転し、トナーコンテナ１内のトナーを攪拌してほぐす攪拌部材（不図示）を設けてもよい。攪拌部材を設ける場合、コンテナモーター４３は、この攪拌部材も回転させる。
【００３１】
そして、現像装置４内には、現像装置４に規定量のトナーが存在しているか（充填されているか）否かを検知するための現像センサー４１が設けられる。現像センサー４１は、現像装置４内のトナーが、規定量を超えているか、以下であるかにより出力が変化する。
【００３２】
制御部５は、現像センサー４１の出力を受け、現像装置４内のトナーが規定量以下であるか否かを認識する。制御部５は、現像装置４内のトナーが規定量よりも少なくなったと認識すると、投入部４１（コンテナモーター４３）を動作させ、現像装置４にトナーを投入させる。そして、制御部５は、現像センサー４１の出力に基づき、現像装置４内のトナーが規定量まで満たされたと認識すると、投入部４１（コンテナモーター４３）を停止させる。
【００３３】
（本体側とトナーコンテナ１との通信）
次に、図４〜図６を用いて、実施形態に係るプリンター１００の本体（制御部５）と、トナーコンテナ１に設けられた基板との通信について説明する。図４は、トナーコンテナ１に設けられる基板部７の一例を示す模式図である。図５は、本体側と基板部７との通信のための構成の一例を示す図である。図６は、実施形態に係る通信用端子の一例を示す図である。
【００３４】
図４に示すように、トナーコンテナ１の外側（筐体の外面）には、基板部７が取り付けられる。図４に示す例では、トナーコンテナ１の一側面に基板部７が取り付けられる。取り付けられる基板部７は、一枚である。
【００３５】
図５に示すように、基板部７は、メモリー７１、通信端子部７２、残量検知部８を含む。通信端子部７２は、本体側に設けられた端子部９と接続される。このトナーコンテナ１の通信端子部７２と本体側の端子部９との接続により、プリンター１００の制御部５と基板部７のメモリー７１や残量検知部８との通信が可能となる（信号やデータの取得が可能となる）。プリンター１００の本体側の端子部９は、プリンター１００の内部に取り付けられたトナーコンテナ１の通信端子部７２に対応する位置に設けられる。
【００３６】
プリンター１００側の端子部９と基板部７の通信端子部７２には、それぞれ、メモリー７１や残量検知部８（発振回路８１、差動トランス８２、検知回路８３）に電力を供給するための電源端子及びグランド端子と、制御部５が生成しメモリー７１や発振回路８１に供給するクロック信号を基板部７に入力するためのシリアルクロック端子と、メモリー７１から読み出した情報（データ）の制御部５への伝達やメモリー７１への命令や、記憶させる情報（データ）をメモリー７１に伝達するためのシリアルデータ端子が設けられる。制御部５と基板部７間のデータ通信には、例えば、Ｉ２Ｃの通信規格が採用される。また、プリンター１００側の端子部９と基板部７の通信端子部７２には、それぞれ、残量検知部８に含まれる検知回路８３の出力値を制御部５に入力するための検知回路出力端子が設けられる。
【００３７】
ここで、本体側の端子部９の各端子は、導電性の金属板若しくは導電性の金属で表面が覆われた板を折り曲げた板ばね９０である。板ばね９０の弾性により、トナーコンテナ１が取り付けられると、本体側の端子部９の各端子とトナーコンテナ１の通信端子部７２の各端子が確実に接する。そのため、各端子の接触不良が生じない。尚、板バネとなっているのは、通信端子部７２側の各端子であってもよい。
【００３８】
残量検知部８は、トナーコンテナ１に残るトナーの量を検知するための回路である。図５に示すように、残量検知部８は、発振回路８１、差動トランス８２、検知回路８３を含む。発振回路８１は、通信端子部７２から供給される直流電圧から交流電圧を生成し、差動トランス８２に入力する回路である。差動トランス８２は、基板部７に回路パターンとして形成されている。差動トランス８２は、１次コイルと２つの２次コイル（検知コイルと基準コイル）を含み、各二次コイル間の電圧差を出力する。磁性体のトナーの残量が多いほど、差動トランス８２の周囲の透磁率が大きくなり、磁性体のトナーの残量が少ないほど、差動トランス８２の周囲の透磁率が小さくなる。トナーの残量に応じて、透磁率が変化することに基づき、差動トランス８２の出力は変化する。
【００３９】
検知回路８３は、差動トランス８２の出力（信号）を処理して出力する回路である。そして、本実施形態の検知回路８３は、トナーの残量が多いほど大きな直流電圧を出力し、トナーの残量が少ないほど小さな直流電圧を出力する（例えば、満杯時、２．５Ｖ、エンプティ時１．０Ｖ）。検知回路８３が差動トランス８２の出力をどのように処理し、どのような出力を為すかは適宜定めることができる。例えば、検知回路８３は、トナーの残量変化（透磁率の変化）に応じた差動トランス８２の出力値の変化に対応して差動トランス８２の出力電圧の振幅と位相が変化する点に着目し、差動トランス８２の出力電圧の位相と、一次コイル側の交流電圧の位相を比較し、位相差に応じた信号を生成し、生成した信号を平滑化してトナーの残量に応じた直流電圧を出力する。
【００４０】
通信端子部７２、端子部９を介して、検知回路８３の出力電圧が制御部５に入力される。制御部５は、入力された検知回路８３の出力値（アナログ電圧値）の大きさと、検知回路８３の各出力値に対するトナーの残量を示すデータに基づき、トナーコンテナ１に残るトナーの残量を求める。例えば、記憶部５３（図２参照）は、検知回路８３の出力値に対し、現在のトナー量／満杯時のトナー量の比率を示す値を記憶する。
【００４１】
メモリー７１は、セキュリティ情報Ｄ１を記憶する。セキュリティ情報Ｄ１は、トナーコンテナ１が純正品か否かを判定するための情報である。セキュリティ情報Ｄ１をどのような情報とするかは適宜定めることができる。例えば、トナーコンテナ１の製造番号、製造場所、製造年月日、トナーコンテナ１の形式、トナー充填日、適合機種、満杯トナー量、トナーのタイプのようなトナーコンテナ１の出所や性能を示す情報を暗号化した情報をセキュリティ情報Ｄ１とすることができる。制御部５は、セキュリティ情報Ｄ１に基づき、トナーコンテナ１が純正品か否かを判定する（詳細は後述）。
【００４２】
また、メモリー７１には、トナーコンテナ１のトナーの残量を示す値（データ）である残量値Ｄ２が記憶される。制御部５は、メモリー７１の残量値Ｄ２の読み出しを行い、残量値Ｄ２を認識する。また、制御部５は、トナーの消費に伴い、現在の残量値Ｄ２をメモリー７１に送信し、メモリー７１に残量値Ｄ２を更新させる（詳細は後述）。残量値Ｄ２は、入力を受けた現在の検知回路８３の出力値とすることができる。あるいは、検知回路８３の出力値に基づき演算により求めたトナーの残量を示す値でもよい。具体的に、満杯状態（未使用状態）では、出荷前に、満杯状態での検知回路８３の出力値が残量値Ｄ２としてメモリー７１に書き込まれる。そして、実際にプリンター１００に取り付けられ、トナーの消費に伴い、制御部５は、メモリー７１の残量値Ｄ２を更新させる。尚、メモリーは、トナーを充填した時点（満杯時）の検知回路８３の出力値を残量値Ｄ２の初期値として記憶する。
【００４３】
（トナーコンテナ１のトナー残量検知）
次に、図４、図５、図７、図８を用いて、トナーコンテナ１のトナー残量の検知の流れの一例を説明する。図７はトナー残量の検知の流れの一例を示すフローチャートである。図８は、トナーコンテナ１が非純正品と判定した旨を報知する報知画面の一例を示す図である。
【００４４】
まず、図７のスタートは、トナーコンテナ１のトナー残量検知を行う時点である。トナー残量の検知を行う時点は、予め定められる。例えば、印刷部３による印刷実行中（一定周期でトナー残量検知を実行）や、プリンター１００の主電源が投入されたときや、省電力モードから復帰したときや、新たなトナーコンテナ１が取り付けられたときなどか、トナー残量の検知を行う時点として予め定められる。
【００４５】
尚、図７のスタートは、基板部７が取り付けられたトナーコンテナ１がプリンター１００に装着され、制御部５と基板部７とが通信可能な状態のときに行われる。トナーコンテナ１に基板部７が取り付けられていなければ（残量検知部８やメモリー７１が無ければ）、制御部５は、エンプティ状態の検知や残量検知を行えないので、トナーコンテナ１無し、又は、エンプティ状態と判定する。即ち、また、基板部７と通信できず、基板部７の存在が認められないとき、制御部５は、トナーコンテナ１無し、又は、エンプティ状態と判定する。
【００４６】
制御部５（例えば、ＣＰＵ５１。以下、同様）は、基板部７に電力やクロック信号を入力し、メモリー７１に記憶されたエンプティ出力値Ｄ３の読み出しを行い、エンプティ出力値Ｄ３を取得できたか否かを確認する（ステップ♯１１）。
【００４７】
ここで、「エンプティ出力値Ｄ３」は、トナーコンテナ１のメモリー７１に記憶され（図５参照）、トナーコンテナ１がエンプティ状態（トナーが無い、残量がゼロ）のときの検知回路８３の出力値である。例えば、トナーコンテナ１の出荷前や製造時に、トナー充填前のトナーコンテナ１をプリンター１００にセットし、制御部５は、そのときの検知回路８３の出力値（アナログ電圧値）をＡＤ変換などにより認識し、認識した検知回路８３の出力値をメモリー７１にエンプティ出力値Ｄ３として記憶させる。
【００４８】
本実施形態のトナーコンテナ１には残量検知部８の一部として、差動トランス８２が設けられる。しかし、基板上の差動トランス８２の位置や、基板部７の設置位置がずれると、そのずれが検知回路８３の出力に影響を与える。そして、本実施形態のトナーコンテナ１では、トナーコンテナ１ごとに基板部７の取り付け位置や、基板部７内の差動トランス８２の位置を意図的にばらつかせる。言い換えると、基板部７の取り付け位置、又は、基板部７内での差動トランス８２の形成位置は、複数パターン用意される（図４参照。基板部７の取り付け位置パターンを破線で例示）。
【００４９】
尚、基板部７の取り付け位置によらず、本体側の端子部９と基板部７の通信端子部７２が適切に接するように、端子部９が可動式としたり、適切に通信端子部７２に接する様に端子部９のガイドを設けたりしてもよい。
【００５０】
これにより、本実施形態のトナーコンテナ１では、差動トランス８２の位置のばらつきや、基板部７の取付位置の誤差などに起因し、全てのトナーコンテナ１のエンプティ出力値Ｄ３は同じにならないようにする。そして、純正品のトナーコンテナ１であれば、各メモリー７１に、そのトナーコンテナ１に対応する適切なエンプティ出力値Ｄ３が記憶される。そのため、トナーエンプティを正確に検知することができる。
【００５１】
一方、非純正品のトナーコンテナ１であれば、エンプティ出力値Ｄ３が無い、又は、差動トランス８２の位置に対応した適切なエンプティ出力値Ｄ３ではない場合がある。適切なエンプティ出力値Ｄ３で無い場合、トナーが残っているのにエンプティ状態が検知される場合がでてくるので、非純正品に、純正品のトナーコンテナ１と同等の性能を発揮させないようにすることができる。
【００５２】
もし、制御部５がエンプティ出力値Ｄ３を取得できなければ（ステップ♯１１のＮｏ）、純正品であればメモリー７１に記憶されている情報が記憶されていないことになる。そこで、エンプティ出力値Ｄ３を取得できなければ（ステップ♯１１のＮｏ）、制御部５は、トナーコンテナ１が純正品ではないと判定する（ステップ♯１２）。具体的に、表示部２０の画面内に設けられたメッセージ表示欄２１に、トナーコンテナ１が純正品で無い旨が表示される（図８参照）。例えば、メッセージ表示欄２１には、「指定外のトナーが装着されています。」といった警告メッセージが表示される。
【００５３】
ここで、エンプティ出力値Ｄ３を取得できなければ、制御部５は、非純正品の判定とともに、トナーコンテナ１がエンプティ状態であると判定してもよい。制御部５は、エンプティ状態では、トナーコンテナ１が交換されるまで、印刷部３の印刷や、投入部４１によるトナー補給動作を停止させるためである。そのため、非純正品のトナー使用による故障を防止することができる。これにより、メモリー７１のセキュリティ情報Ｄ１ではなく、別の情報に着目して純正品か否かを判定することができる。従って、純正品か否かを従来よりも正確に判定することができる。
【００５４】
そして、制御部５は、トナーコンテナ１が非純正品である旨を表示部２０に表示（報知）させる（ステップ♯１３）。そして、本フローは終了する（エンド）。
【００５５】
一方、エンプティ出力値Ｄ３を取得できたとき（ステップ♯１１のＹｅｓ）、制御部５は、検知回路８３の出力値がエンプティ出力値Ｄ３となったか否かを確認する（ステップ♯１４）。
【００５６】
もし、検知回路８３の出力値がエンプティ出力値Ｄ３となったとき（ステップ♯１４のＹｅｓ）、制御部５は、検知回路８３の出力値がエンプティ出力値Ｄ３となってから許容枚数分の印刷が印刷部３によりなされた時点で、トナーコンテナ１がエンプティ状態（トナーコンテナ１のトナー残量ゼロ）と判定する（ステップ♯１５）。
【００５７】
ここで、純正品では、許容枚数は、差動トランス８２の位置（エンプティ出力値Ｄ３の大きさ）に応じて変更してもよい。差動トランス８２の位置によっては、トナーが少々残っている状態で検知回路８３の出力値が下限値に到る場合もある。このような場合、トナーコンテナ１のトナーは使い切られていない。そこで、差動トランス８２の位置により、どの純正品のトナーコンテナ１でも、トナーが使い尽くされるように、許容枚数を変更する。
【００５８】
そして、制御部５は、エンプティ状態の検知により、新たにトナーコンテナ１の交換がなされるまで、印刷部３を動作させず印刷不可状態を保ち、投入部４１を動作させずトナー補給動作停止状態を保つ（ステップ♯１６）。尚、制御部５は、着脱検知センサーＳ２の出力や、トナーコンテナ１と通信したときに得られるセキュリティ情報Ｄ１が、以前装着されていたトナーコンテナ１のものと異なっていることなどに基づき、新しいトナーコンテナ１への交換を検知することもできる。そして、フローは終了する。
【００５９】
もし、検知回路８３の出力値がエンプティ出力値Ｄ３に至っていないとき（越えているとき、ステップ♯１４のＮｏ）、制御部５は、検知回路８３の出力値に基づき、トナーコンテナ１内のトナー残量を認識する（ステップ♯１７）。例えば、ここで、本実施形態のプリンター１００では、検知回路８３の出力値は、トナー残量が多いほど大きい。そのため、制御部５は、現在の検知回路８３の出力値とエンプティ出力値Ｄ３の差の絶対値と、トナーコンテナ１が満杯時の検知回路８３の出力値として予め定められた値（エンプティ出力値Ｄ３よりも大きい）と検知回路８３の出力値の差の絶対値の比率を求め、何％トナーが残っているかを求める。そして、制御部５は、トナー残量を示す値としての比率を表示部２０に表示（報知）させる（ステップ♯１８）。尚、比率は、表示部２０の特定の領域に固定的表示してもよいし、操作パネル２にトナー残量（比率）を表示させるための操作がなされたとき、比率を表示するようにしてもよい。
【００６０】
そして、制御部５は、トナーコンテナ１のメモリー７１に残量値Ｄ２を送信し、メモリー７１の残量値Ｄ２を更新させる（ステップ♯１９）。そして、フローは終了する（エンド）。尚、制御部５は、取り付けられているトナーコンテナ１が純正品のときのみ、残量値Ｄ２の更新をメモリー７１に行わせる。
【００６１】
（セキュリティ情報Ｄ１に基づく純正品か否かの判定）
次に、図９を用いて、実施形態に係るトナーコンテナ１に記憶されたセキュリティ情報Ｄ１に基づく判定を説明する。図９は、トナーコンテナ１に記憶されたセキュリティ情報Ｄ１に基づく判定の一例を示すフローチャートである。
【００６２】
まず、図９のスタートは、セキュリティ情報Ｄ１に基づいて、純正品か否かを判定する時点として予め定められた時点である。例えば、主電源投入時や、省電力モードからの復帰時や、新たなトナーコンテナ１が取り付けられたときのような予め定められた時点で、セキュリティ情報Ｄ１に基づく判定が行われる。
【００６３】
まず、制御部５は、トナーコンテナ１に設けられた基板部７と通信を行い、セキュリティ情報Ｄ１を取得できたか否かを確認する（ステップ♯２１）。尚、上述したように、制御部５は、基板部７自体が無いなどの理由で、基板部７のメモリー７１と通信できない状態（応答がない状態）では、トナーコンテナ１が取り付けられていない、若しくは、エンプティ状態と判定する。そして、基板部７のメモリー７１と通信できない状態では、制御部５は、プリンター１００の印刷不可状態及び現像装置４へのトナー補給動作停止状態を維持させる。その結果、基板部７が無く、故障を招くようなトナーが収容されている可能性が高い模造品は使用されることが無い。
【００６４】
もし、メモリー７１の存在は認識したものの、セキュリティ情報Ｄ１を取得できないとき（ステップ♯２１のＮｏ）、トナーコンテナ１がプリンター１００に適したものか否かを判定できない。そのため、制御部５は、トナーコンテナ１が非純正品と判定する（ステップ♯２２）。そして、制御部５は、表示部２０に、トナーコンテナ１が純正品で無い旨を表示（報知）させる（ステップ♯２３）。そして、本フローを終了する（エンド）。尚、ステップ♯２２で非純正品と判定したとき、制御部５は、エンプティ状態であると認識するようにしてもよい。
【００６５】
一方、セキュリティ情報Ｄ１を取得できたとき（ステップ♯２１のＹｅｓ）、制御部５は、取得したセキュリティ情報Ｄ１が適正であるか否かを確認する（ステップ♯２４）。セキュリティ情報Ｄ１に含まれる各情報には、種類や取り得る値の範囲が予め規定される。従って、制御部５は、規定に従っているか否かにより、セキュリティ情報Ｄ１が適正であるか、異常であるかを判定する。
【００６６】
異常値を含むとき、セキュリティ情報Ｄ１が適正でないとき（ステップ♯２４のＮｏ）、制御部５はトナーコンテナ１が非純正品と判定する（ステップ♯２２へ）。一方、セキュリティ情報Ｄ１が適正であるとき、制御部５は、トナーコンテナ１が純正品であると判定する（ステップ♯２５）。そして、使用者に警告を発する必要も無いので、フローは終了する（エンド）。
【００６７】
（新たなトナーコンテナ１が取付けられたときの判定）
次に、図１０を用いて、新たにトナーコンテナ１が取り付けられたときの判定について説明する。図１０は、新たなトナーコンテナ１が取り付けられたときの判定の流れの一例を示すフローチャートである。
【００６８】
メモリー７１に格納されたセキュリティ情報Ｄ１の解析がなされることがある。そのため、セキュリティ情報Ｄ１の確認処理では非純正品と判定されないような模造品が製造される可能性は、ゼロではない。
【００６９】
そこで、本実施形態のプリンター１００では、トナーコンテナ１が取り付けられたときの検知回路８３の出力値に基づき、制御部５は新たに取り付けられたトナーコンテナ１が模造品であることを見破る。
【００７０】
まず、図１０のスタートは、制御部５が新たなトナーコンテナ１の取り付けを認識した時点である。尚、図９に示すセキュリティ情報Ｄ１に基づく判定は、新たなトナーコンテナ１が取り付けられたときにも実行される。そのため、図１０に示すフローは、図８に示すフローと並行して実行させる。尚、各フローチャートの全で非純正品ではないと判定されたときのみ、制御部５は、取り付けられているトナーコンテナ１が純正品と扱い、何れか一つのフローチャートで非純正品と判定されたときには、取り付けられているトナーコンテナ１は非純正品と扱う。
【００７１】
尚、上述したように、制御部５は、トナーコンテナ１が着脱を検知するためのセンサー（着脱検知センサーＳ２）や、今まで取り付けられていたトナーコンテナ１のセキュリティ情報Ｄ１とは異なるセキュリティ情報Ｄ１を読み出したとき、新たなトナーコンテナ１が取り付けられたことを認識できる。
【００７２】
そして、制御部５は、トナーコンテナ１（基板部７）の検知回路８３の出力値を認識する（ステップ♯３１）。また、制御部５は、正しい残量値Ｄ２をメモリー７１から読み出しできたか否かを確認する（ステップ♯３２）。
【００７３】
純正品のトナーコンテナ１のメモリー７１には、残量値Ｄ２の初期値（満杯時の初期値）が記憶されている。そのため、残量値Ｄ２を読み出すことができない、あるいは、残量値Ｄ２が異常（例えば、残量値Ｄ２のデータの各桁の値が全てゼロなど）のように、正しい残量値Ｄ２をメモリー７１から読み出しできなければ（ステップ♯３２のＮｏ）、制御部５は、新たに取り付けられたトナーコンテナ１を非純正品と判定する（ステップ♯３３）。そして、制御部５は、非純正品である旨を表示部２０に表示（報知）させる（ステップ♯３４）。そして、本フローは終了する。
【００７４】
一方、正しい残量値Ｄ２をメモリー７１から読み出すことができたとき（ステップ♯３２のＹｅｓ）、制御部５は、メモリー７１に記憶された残量値Ｄ２と、認識した現状の検知回路８３の出力値の差が許容範囲内であるか否かを確認する（ステップ♯３５）。
【００７５】
上述のように、検知回路８３の出力値は、差動トランス８２の位置の影響を受ける。このことを利用してトナーコンテナ１が純正品であるか否かを判定できるように、本実施形態のプリンター１００に用いられるトナーコンテナ１では、基板部７の取り付け位置や、基板部７内での差動トランス８２の形成位置や、製造時のトナー充填量に、複数パターンが設けられる。言い換えると、差動トランス８２の位置や満杯時のトナー量を意図的にトナーコンテナ１ごとに異ならせる。これにより、トナー満杯時から、意図的に検知回路８３の出力値をばらつかせるようにする。
【００７６】
そのため、模造品の満杯時のトナー量と差動トランス８２の位置の何れか一方でも、純正品とのずれがあれば、満杯時から（トナーコンテナ１へのトナー充填後の最初の使用時から、残量値Ｄ２の初期値から）メモリー７１に記憶された残量値Ｄ２と検知回路８３の出力値とのずれが許容範囲から外れる場合が出てくる。
【００７７】
そして、許容範囲内であるとき（ステップ♯３５のＹｅｓ）、制御部５は、新たに取り付けられたトナーコンテナ１が純正品であると判定する（ステップ♯３６）。そして、本フローは終了する。一方、許容範囲外であるとき（ステップ♯３５のＮｏ）、フローは、ステップ♯３３に移行する。
【００７８】
このようにして、本実施形態に係る画像形成装置（プリンター１００）は、印刷部３（給紙部３ａ、第１搬送部３ｂ、画像形成部３ｃ、定着部３ｄ、第２搬送部３ｅ）、トナー収容体（トナーコンテナ１）、端子部９、判定部（制御部５）、報知部を含む。印刷部３は、トナーを用いて印刷を行う。トナー収容体は、画像形成装置に対し着脱可能であり、基板部７が取り付けられ、トナーを印刷部３に補給する。端子部９は、トナー収容体に取り付けられた基板部７と通信を行うためのものである。判定部は、端子部９によりトナー収容体から受信した情報に基づき、トナー収容体が純正品か否かを判定するとともに、トナー収容体のトナー残量を検知する。報知部（表示部２０）は、装置の状態を報知する報知部（表示部２０）。基板部７は、端子部９と接する通信端子部７２、残量検知部８、及び、メモリー７１とを含む１枚の基板である。残量検知部８は、差動トランス８２と差動トランス８２の出力を処理して残量に応じた電圧を出力する検知回路８３を含む。メモリー７１は、トナー収容体が純正品か否かを判定するためのセキュリティ情報Ｄ１ともにトナー収容体がエンプティ状態のときの検知回路８３の出力値を示すエンプティ出力値Ｄ３を記憶する。通信端子部７２は、メモリー７１の記憶内容を判定部に送信するとともに検知回路８３の出力値を判定部に入力する。判定部は、検知回路８３の出力値の大きさを認識し、メモリー７１に記憶されたエンプティ出力値Ｄ３と、検知回路８３の出力値を比較してトナー収容体がエンプティ状態であるか否かを判定する。報知部は、判定部がエンプティ状態であると判定すると、トナー収容体が空となった旨を報知する。
【００７９】
まず、従来、メモリー７１と残量検知部８（残量検知センサー）は別々の基板とされ、トナー収容体（トナーコンテナ１）に取り付けられていたが、１つの基板にまとめられたので製造コストを抑えることができる。また、従来、磁性体トナーを収容するトナー収容体では、差動トランス８２のような素子を含む残量検知センサーを用い、トナー収容体の透磁率の変化を検知し、トナーの残量を検知する場合があった。しかし、検知用の素子の位置のずれが、大きな出力値の変化となる場合があり、トナー残量の検知の正確性を高める必要があるという課題がある。そこで、トナー収容体のトナーのエンプティ状態（トナーが無い状態）のときの検知回路８３の出力値であるエンプティ出力値Ｄ３を記憶しておき、エンプティ出力値Ｄ３に基づき、トナー収容体がエンプティ状態（トナーが空の状態）となったか否かを判断する。そのため、正確に、トナー収容体がエンプティ状態になったことを検知することができる。反対に、トナー収容体が空のときの検知回路８３の出力値が予め定められたエンプティ出力値Ｄ３となるように、位置を調整しつつ、基板部７を取り付けることも可能である。従って、差動トランス８２や基板部７の取り付け位置がトナー残量検知を正確に行ううえで、問題が無く、適切な位置となっているか否かを検知するためのセンサーとして検知回路８３を用いることもでき、設置位置の正確性を高めることもできる。さらに、本発明によれば、非純正品の基板部７の位置が純正品に対してずれていれば、非純正品のメモリー７１にエンプティ出力値Ｄ３が記憶されていても、エンプティ出力値Ｄ３は適切ではない場合があるので、トナー収容体（トナーコンテナ１）にトナーが残っているのに、エンプティ状態の検知や報知がなされる場合がある。言い換えると、偽造や模倣を行っても、純正品と同等の性能が発揮できないようにすることができる。従って、使用者に純正品の使用を促すこともできる。
【００８０】
又、メモリー７１は、トナー収容体（トナーコンテナ１）のトナーの残量に関する残量値Ｄ２を記憶する。そして、新たなトナー収容体が取り付けられたとき、判定部（制御部５）は、検知回路８３の出力値と残量値Ｄ２との差が許容範囲に収まるか否かを確認し、許容範囲内であるときトナー収容体が純正品であると判定し、許容範囲に収まらないときトナー収容体が純正品でないと判定する。
【００８１】
これにより、非純正品の差動トランス８２の位置が純正品に対してずれているとき、検知回路８３の出力値と残量値Ｄ２との差が大きくなる場合がある。そこで、トナー収容体（トナーコンテナ１）の検知回路８３の出力値と残量値Ｄ２との差が適正な範囲（許容範囲）であるか否かにより、取り付けられたトナー収容体（トナーコンテナ１）が純正品か否かの判断がなされる。従って、非純正品に収容された粗悪なトナーが印刷部３（給紙部３ａ、第１搬送部３ｂ、画像形成部３ｃ、定着部３ｄ、第２搬送部３ｅ）に混入することを防ぐことができる。
【００８２】
又、残量値Ｄ２の初期値は、トナー収容体（トナーコンテナ１）のトナーが満杯であるときの検知回路８３の出力値である。判定部（制御部５）は、トナーの消費にあわせ、純正品と判定したトナー収容体のメモリー７１に記憶された残量値Ｄ２を更新させる。これにより、非純正品のトナー収容体内のトナーの量を問わず、トナー収容体が純正品か否かを判断することができる。
【００８３】
基板部７の設置位置によっては、トナー収容体（トナーコンテナ１）内にトナーが僅かに残っていても、検知回路８３の出力値が下限値に到る場合がある。そこで、メモリー７１は、検知回路８３の出力値がエンプティ出力値Ｄ３となってから許容する印刷の枚数である許容枚数を記憶する。判定部（制御部５）は、検知回路８３の出力値がエンプティ出力値Ｄ３となってから許容枚数分の印刷が印刷部３（給紙部３ａ、第１搬送部３ｂ、画像形成部３ｃ、定着部３ｄ、第２搬送部３ｅ）によりなされた時点で、トナー収容体（トナーコンテナ１）がエンプティ状態になったと判定する。
【００８４】
これにより、トナー収容体（トナーコンテナ１）のトナーをほぼ使い切ってからエンプティ状態になったと判定することができ、トナーエンプティになったことを正確に判定することができる。また、エンプティ状態と検知したからといって、直ちに印刷不可状態とせず、一定量の印刷は許容して、画像形成装置（プリンター１００）の使い勝手をよくすることができる。
【００８５】
又、メモリー７１がエンプティ出力値Ｄ３を記憶していないとき、判定部（制御部５）は、トナー収容体（トナーコンテナ１）が純正品ではないと判定する。これにより、セキュリティ情報Ｄ１上では、トナー収容体が純正品と判定されたとしても、エンプティ出力値Ｄ３という別の情報に基づいて純正品か否かの判定を行うことができる。従って、トナー収容体が純正品か否かを正確な判定することができる。
【００８６】
又、判定部（制御部５）は、トナー収容体（トナーコンテナ１）が純正品ではないと判定したとき、報知部（表示部２０）に取り付けられているトナー収容体が純正品ではない旨を報知部に報知させる。これにより、トナー収容体が純正品ではないことを使用者に報知することができる。また、純正品の使用を促すことができる。
【００８７】
又、端子部９に設けられた端子と、通信端子部７２の端子の何れか一方が板ばね９０である。これにより、今までに無い基板と判断部を簡易かつ確実に通信可能に接続することができる。
【００８８】
又、基板部７には、回路パターンとして差動トランス８２が設けられる。そして、基板部７の取り付け位置、又は、基板部７内での差動トランス８２の形成位置は、複数パターン用意されている。このように、意図的に差動トランス８２の位置を複数パターン用意することで、各トナー収容体（トナーコンテナ１）のエンプティ出力値Ｄ３にばらつきを持たせることができる。従って、模造品では、トナーが残っているのにエンプティ状態と判定されるものも出てくることになり、正規品と同等の性能を有する模造品を製造し難くすることができる。
【００８９】
又、本発明は、上述の画像形成装置（プリンター１００）に用いられ、メモリー７１と残っているトナーの残量を検知するための残量検知部８と通信端子部７２を含み、１枚の基板である基板部７を含み、メモリー７１は、純正品か否かを判定するためのセキュリティ情報Ｄ１を記憶し、残量検知部８は、差動トランス８２と差動トランス８２の出力を処理する検知回路８３を含み、通信端子部７２は、メモリー７１の記憶内容を判定部（制御部５）に送信するとともに検知回路８３の出力値を伝達するためのものであり、メモリー７１は、セキュリティ情報Ｄ１とともにトナー収容体（トナーコンテナ１）がエンプティ状態のときの検知回路８３の出力値を示すエンプティ出力値Ｄ３を記憶するトナー収容体と捉えることもできる。これにより、上述した効果と同様の効果を得ることができる。
【００９０】
また、基板部７と通信できず、基板部７の存在が認められないとき、制御部５は、トナー収容体（トナーコンテナ１）無し、又は、エンプティ状態と判定する。これにより、基板部７が取り付けられていないような粗悪な模造品からトナーがプリンター内に流れ込むことを防ぐことができる。
【００９１】
次に、他の実施形態について説明する。上記の実施形態では、画像形成装置として、プリンター１００を例示した。しかし、画像形成装置は、複合機、コピー機、ＦＡＸ装置などでもよい。
【００９２】
又、上記の実施形態では、静電潜像の現像に用いる現像剤が一成分現像剤である例を説明した。しかし、本発明は、二成分現像剤が用いられる画像形成装置、トナーコンテナ１にも適用できる。
【００９３】
以上、本発明の実施形態につき説明したが、本発明の範囲はこれに限定されるものではなく、発明の主旨を逸脱しない範囲で種々の変更を加えて実施することができる。
【産業上の利用可能性】
【００９４】
本発明は１つの基板部を含むトナーコンテナや、このトナーコンテナを備えた画像形成装置に利用可能である。
【符号の説明】
【００９５】
１００  プリンター（画像形成装置）      １      トナーコンテナ（トナー収容体）
２０    表示部（報知部）                ３      印刷部
３ａ    給紙部（印刷部）                ３ｂ    第１搬送部（印刷部）
３ｃ    画像形成部（印刷部）            ３ｄ    定着部（印刷部）
３ｅ    第２搬送部（印刷部）            ５      制御部（判定部）
７      基板部                          ７１    メモリー
７２    通信端子部                      ８      残量検知部
８２    差動トランス                    ８３    検知回路
９      端子部                          ９０    板ばね
【図１】
2016090736.tif 000003
【図２】
2016090736.tif 000004
【図３】
2016090736.tif 000005
【図４】
2016090736.tif 000006
【図５】
2016090736.tif 000007
【図６】
2016090736.tif 000008
【図７】
2016090736.tif 000009
【図８】
2016090736.tif 000010
【図９】
2016090736.tif 000011
【図１０】
2016090736.tif 000012